(57)【特許請求の範囲】
【請求項１】
着座部の下に、左右一対の支持部材と、前記一対の支持部材に架設され、前後方向に離れて配置される第１連結部材および第２連結部材とを有するシートに対し、物品を収納する収納ケースを取り付けるための取付構造であって、
前記収納ケースは、ケース本体と、前記ケース本体の前部および後部の一方に設けられ、前記第１連結部材を上下方向で挟む第１係止部と、前記ケース本体の前部および後部の他方における前記一対の支持部材に対向する壁に設けられ、前記支持部材側へ突出する右側移動抑制部および左側移動抑制部と、前記ケース本体の前部および後部の他方から前後方向に延出し、前記第２連結部材の上に載る第２上壁部とを有し、
前記右側移動抑制部および前記左側移動抑制部は、それぞれ、左右方向外側を向く表面に、上下に延びる複数の接触リブを有し、
前記ケース本体を前記シートに取り付ける前において、前記右側移動抑制部の接触リブの先端から前記左側移動抑制部の接触リブの先端までの距離は、前記一対の支持部材の間隔よりも大きく、
前記ケース本体は、前記右側移動抑制部および前記左側移動抑制部の前記接触リブが、前記一対の支持部材に弾性的に接触することを特徴とする取付構造。
【請求項２】
前記右側移動抑制部および前記左側移動抑制部は、前記収納ケース本体と一体に形成されていることを特徴とする請求項１に記載の取付構造。
【請求項３】
前記右側移動抑制部および前記左側移動抑制部は、前記収納ケースの上面よりも低い位置に設けられていることを特徴とする請求項１または請求項２に記載の取付構造。
【請求項４】
前記収納ケースは、前記ケース本体の前部および後部の他方に、前記第２連結部材を前後方向で挟む第２係止部を有することを特徴とする請求項１から請求項３のいずれか１項に記載の取付構造。
【請求項５】
前記第２係止部は、前記ケース本体の壁と、当該壁の上端から前後方向に延出する前記第２上壁部と、前記第２上壁部から下方に延びる対向壁部とを有し、
前記壁と前記対向壁部の間に、前記第２連結部材が挟まれることを特徴とする請求項４に記載の取付構造。
【請求項６】
前記ケース本体は、前記一対の支持部材の対向方向における幅が第１の幅である第１部分と、前記対向方向における幅が前記第１の幅よりも大きい第２の幅である第２部分とを有し、
前記右側移動抑制部および前記左側移動抑制部は、前記第２部分に設けられていることを特徴とする請求項１から請求項５のいずれか１項に記載の取付構造。
【発明の詳細な説明】
【技術分野】
【０００１】
本発明は、着座部の下に一対の支持部材を有するシートに対し、物品を収納する収納ケースを一対の支持部材の間に取り付けるための取付構造に関する。
【背景技術】
【０００２】
従来、車内に設けられたシートにおいて、着座部の下に物品を収納するための収納ケースが取り付けられたものがある。例えば、特許文献１に記載されているシートは、着座部を移動させることで、この収納ケースが露出するように構成されている。
【０００３】
また、特許文献１に記載されているシートは、着座部の下に、左右一対のサイドフレームを有している。収納ケースは、一対のサイドフレームの間に配置されている。そして、収納ケースは、サイドフレームに隣接して配置される左右の側壁と、側壁の上端に設けられ、サイドフレームの上端に係合するフランジ部とを有している。
【先行技術文献】
【特許文献】
【０００４】
【特許文献１】特開平７−５２７１５号公報
【発明の概要】
【発明が解決しようとする課題】
【０００５】
ところで、上述した技術では、収納ケースの左右の側壁がサイドフレーム（支持部材）に隣接して設けられているため、側壁がサイドフレームに当接することで、収納ケースが左右方向に移動するのが抑えられるが、側壁の全体がサイドフレームの近くに配置されるように収納ケースが形成されているため、収納ケースをシートに取り付けるときに、収納ケースを一対の支持部材の間に挿し込みにくかった。
【０００６】
そこで、本発明は、着座部の下に設けられる一対の支持部材の間に収納ケースが取り付けられたシートにおいて、収納ケースが一対の支持部材の対向方向に動くのを抑えるとともに、収納ケースをシートに取り付けやすい収納ケースの取付構造を提供することを目的とする。
【課題を解決するための手段】
【０００７】
前記した目的を達成するため、本発明の取付構造は、着座部の下に、左右一対の支持部材と、前記一対の支持部材に架設され、前後方向に離れて配置される第１連結部材および第２連結部材とを有するシートに対し、物品を収納する収納ケースを取り付けるための取付構造であって、前記収納ケースは、ケース本体と、前記ケース本体の前部および後部の一方に設けられ、前記第１連結部材を上下方向で挟む第１係止部と、前記ケース本体の前部および後部の他方における前記一対の支持部材に対向する壁に設けられ、前記支持部材側へ突出する右側移動抑制部および左側移動抑制部と、前記ケース本体の前部および後部の他方から前後方向に延出し、前記第２連結部材の上に載る第２上壁部とを有し、前記右側移動抑制部および前記左側移動抑制部は、それぞれ、左右方向外側を向く表面に、上下に延びる複数の接触リブを有し、前記ケース本体を前記シートに取り付ける前において、前記右側移動抑制部の接触リブの先端から前記左側移動抑制部の接触リブの先端までの距離は、前記一対の支持部材の間隔よりも大きく、前記ケース本体は、前記右側移動抑制部および前記左側移動抑制部の前記接触リブが、前記一対の支持部材に弾性的に接触することを特徴とする。
【０００８】
このような構成によれば、右側移動抑制部および左側移動抑制部の接触リブが一対の支持部材に弾性的に接触することで、収納ケースが一対の支持部材の間を一対の支持部材の対向方向に動くのを抑えることができる。また、収納ケースの支持部材に対向する側面全体を支持部材の近くに設ける構成に比べて、収納ケースを一対の支持部材の間に挿し込みやすいため、収納ケースをシートに取り付けやすい。
さらに、収納ケースの寸法誤差を吸収して、右側移動抑制部および左側移動抑制部を支持部材に当接させることができる。また、右側移動抑制部および左側移動抑制部の全体が支持部材に当接する場合に比べて、収納ケースを一対の支持部材の間に挿し込みやすい。
【０００９】
前記した取付構造において、前記右側移動抑制部および前記左側移動抑制部は、前記収納ケース本体と一体に形成されてもよい。
【００１０】
前記した取付構造において、前記右側移動抑制部および前記左側移動抑制部は、前記収納ケースの上面よりも低い位置に設けられていてもよい。
【００１１】
これによれば、右側移動抑制部および左側移動抑制部が収納ケースの上部に設けられている場合に比べて、一対の支持部材の間で収納ケースが安定して保持される。
【００１２】
前記した取付構造において、前記収納ケースは、前記ケース本体の前部および後部の他方に、前記第２連結部材を前後方向で挟む第２係止部を有するように構成されていてもよい。
【００１３】
前記した取付構造において、前記第２係止部は、前記ケース本体の壁と、当該壁の上端から前後方向に延出する前記第２上壁部と、前記第２上壁部から下方に延びる対向壁部とを有し、前記壁と前記対向壁部の間に、前記第２連結部材が挟まれるように構成されていてもよい。
【００１７】
前記した取付構造において、前記ケース本体は、前記一対の支持部材の対向方向における幅が第１の幅である第１部分と、前記対向方向における幅が前記第１の幅よりも大きい第２の幅である第２部分とを有し、前記右側移動抑制部および前記左側移動抑制部は、前記第２部分に設けられていてもよい。
【００１８】
これによれば、右側移動抑制部および前記左側移動抑制部の支持部材に対向する壁からの突出量を小さくすることができる。
【発明の効果】
【００１９】
本発明によれば、右側移動抑制部および左側移動抑制部の接触リブが一対の支持部材に弾性的に接触することで、収納ケースが一対の支持部材の間を一対の支持部材の対向方向に動くのを抑えることができる。また、収納ケースの支持部材に対向する側面全体を支持部材の近くに設ける構成に比べて、収納ケースを一対の支持部材の間に挿し込みやすいため、収納ケースをシートに取り付けやすい。
【００２１】
また、本発明によれば、収納ケースの寸法誤差を吸収して、右側移動抑制部および左側移動抑制部を支持部材に当接させることができる。
【００２２】
また、本発明によれば、右側移動抑制部および左側移動抑制部の全体ではなく、接触リブが支持部材に接触するので、右側移動抑制部および左側移動抑制部の全体が支持部材に当接する場合に比べて、収納ケースを一対の支持部材の間に挿し込みやすい。
【００２３】
また、本発明によれば、右側移動抑制部および左側移動抑制部が収納ケースの上部に設けられている場合に比べて、一対の支持部材の間で収納ケースが安定して保持される。
【００２４】
また、本発明によれば、右側移動抑制部および左側移動抑制部の支持部材に対向する壁からの突出量を小さくすることができる。
【図面の簡単な説明】
【００２５】
【図１】本発明の一実施形態に係る収納ケースが取り付けられた車両用シートを示す図である。
【図２】ロアレール、ベース部および収納ケースを示す分解斜視図である。
【図３】収納ケースのケース本体を示す斜視図である。
【図４】収納ケースのケース本体を示す平面図である。
【図５】ケース本体の第１係止部を示す斜視図（ａ）と、断面図（ｂ）である。
【図６】ケース本体の第２係止部を示す斜視図（ａ）と、断面図（ｂ）と、左側移動抑制部を示す斜視図（ｃ）である。
【図７】蓋の下面を示す斜視図（ａ）と、蓋の後端部を示す部分断面図（ｂ）である。
【図８】ケース本体に蓋を取り付けた状態の収納ケースを示す後側から見た斜視図（ａ）と、前側から見た斜視図（ｂ）である。
【図９】収納ケースの車両用シートへの取り付け方を説明する図であって、ケース本体の第１係止部を第１連結パイプに係合させた状態を示す図（ａ）と、ケース本体の第２係止部を第２連結パイプに係合させて蓋を取り付けた状態を示す図（ｂ）である。
【図１０】一対のレール支持部材の間に配置されたケース本体を示す図である。
【図１１】第２連結パイプに係止された第２係止部を示す断面図（ａ）と、ロックされた状態のロック部およびロック解除部を示す断面図（ｂ）と、ロックを解除した状態のロック部およびロック解除部を示す断面部（ｃ）である。
【発明を実施するための形態】
【００２６】
次に、本発明の一実施形態について適宜図面を参照しながら説明する。なお、本発明において、前後、左右および上下は、シートに座る人を基準とする。
【００２７】
図１に示すように、シートの一例である自動車の運転席や助手席などに使用される車両用シートＳは、乗員が着座する着座部を構成するシートクッションＳ１と、乗員の上体を支持するシートバックＳ２と、乗員の頭部を支持可能なヘッドレストＳ３とを備えている。また、車両用シートＳは、シートクッションＳ１の下に設けられるスライド機構ＳＬと、スライド機構ＳＬを支持するベース部１０とを備えている。また、シートクッションＳ１の下には、収納ケースＢが設置されている。
【００２８】
スライド機構ＳＬは、前後方向に延びる左右一対のロアレールＳＬ１（図２参照）と、シートクッションＳ１に固定され、各ロアレールＳＬ１に係合する一対のアッパーレールＳＬ２とを主に備えている。これにより、アッパーレールＳＬ２がロアレールＳＬ１に対して前後にスライド移動することで、シートクッションＳ１が前後にスライド移動可能となっている。
【００２９】
ベース部１０は、図２に示すように、各ロアレールＳＬ１に対応して設けられる左右一対の支持部材の一例としてのレール支持部材１１と、複数のブラケット１２と、一対のレール支持部材１１に架設された第１連結部材１３および第２連結部材１４とを主に有している。
【００３０】
レール支持部材１１は、下方に開口するＵ字状に折れ曲がった板金からなる。そして、レール支持部材１１は、前部と後部が、ブラケット１２によって車体のフロアＦに固定されている。レール支持部材１１は、上部にロアレールＳＬ１が固定され、ロアレールＳＬ１を支持している。
【００３１】
第１連結部材１３と第２連結部材１４は、金属からなる左右方向に長い棒状の部材であり、前後方向で並んで配置されている。第１連結部材１３は、左右の端部が一対のレール支持部材１１の前端部に固定されている。第２連結部材１４は、第１連結部材１３と前後方向に離れた位置、具体的には、第１連結部材１３の後方に配置され、左右の端部が一対のレール支持部材１１の中間部に固定されている。

【００３２】
収納ケースＢは、緩衝材に包まれた物品、例えば、タイヤがパンクしたときに使用するパンク修理キットを収納する樹脂製のケースである。収納ケースＢは、一対のレール支持部材１１の間に取り付けられている。そして、収納ケースＢは、ケース本体１００と、ケース本体１００に取り付けられる蓋２００とを備えている。
【００３３】
図３および図４に示すように、ケース本体１００は、上部に開口１０１を有する箱状に形成されている。ケース本体１００は、二つの物品、例えば、コンプレッサ３とパンク修理材４が収納される第１部分の一例としての第１収納部１１０と、第１収納部１１０の後側に設けられ、複数の工具５が収納される第２部分の一例としての第２収納部１２０とを有している。
【００３４】
第１収納部１１０は、コンプレッサ３とパンク修理材４を左右に並べて収納可能に形成されている。第１収納部１１０は、コンプレッサ３とパンク修理材４の下に配置される底壁１１１を有している。また、第１収納部１１０は、底壁１１１の前端部から上方に延びる前壁１１２と、底壁１１１の左端部から上方に延びる第１左壁１１３と、底壁１１１の右端部から上方に延びる第１右壁１１４とを有している。
【００３５】
底壁１１１は、その上に配置されるコンプレッサ３とパンク修理材４の形状に合った形に形成されている。
【００３６】
具体的に、コンプレッサ３は、矩形の箱形状を有している。パンク修理材４は、円筒状のボトル４１と、ボトル４１の栓となるキャップ４２と、キャップ４２に設けられたホース４３とを有している。パンク修理材４のボトル４１は、円筒状の外周面を有している。
【００３７】
底壁１１１の突出部１１５より左側の部分は、コンプレッサ３が配置されるコンプレッサ載置部１１１Ａとなっており、平板状に形成されている。底壁１１１の突出部１１５より右側の部分は、パンク修理材４が載置される部分となっており、ボトル載置部１１１Ｂと、ボトル載置部１１１Ｂの後側に設けられたキャップ載置部１１１Ｃと、キャップ載置部１１１Ｃの左側かつコンプレッサ載置部１１１Ａの後側に設けられたホース載置部１１１Ｄとを有している。
【００３８】
ボトル載置部１１１Ｂは、コンプレッサ載置部１１１Ａよりも下側に凹んでおり、ボトル４１の外周面に沿った円弧断面形状を有している。また、ボトル載置部１１１Ｂの内面と第１右壁１１４の内面、および、ボトル載置部１１１Ｂの内面と突出部１１５の右側の面（図６（ａ）参照）とは、ボトル４１の外周面に沿ってなだらかに繋がっている。キャップ載置部１１１Ｃとホース載置部１１１Ｄは、ボトル載置部１１１Ｂよりも高い位置に設けられている。
【００３９】
そして、底壁１１１は、前後一対の突出部１１５を有している。
一対の突出部１１５は、底壁１１１のコンプレッサ３とパンク修理材４の間の位置から立ち上がる突起である。一対の突出部１１５は、コンプレッサ３を収納するスペースとパンク修理材４を収納するスペースとに第１収納部１１０内を仕切る仕切りとして機能している。
【００４０】
図３および図４に示すように、第２収納部１２０は、第１収納部１１０の後側と第１収納部１１０の後部の右側に配置される部分を有している。つまり、第２収納部１２０の左右方向の幅は、第１収納部１１０の左右方向の幅である第１の幅よりも大きい第２の幅となっており、右端部が第１収納部１１０よりも左右方向外側に突出している。
【００４１】
第２収納部１２０は、工具５が載置される工具載置部１２１と、第１収納部１１０の第１右壁１１４よりも左右方向外側に設けられた第２右壁１２３と、第２右壁１２３と第１右壁１１４を繋ぐ連結壁１２２と、第２右壁１２３と繋がる後壁１２４を有しケース本体１００の後端縁を構成する第２係止部１５０と、工具載置部１２１よりも左側に設けられた上壁１２５とを主に有している。
【００４２】
工具載置部１２１は、キャップ載置部１１１Ｃの右側とキャップ載置部１１１Ｃおよびホース載置部１１１Ｄの後側に設けられ、略Ｌ字形状に形成されている。この工具載置部１２１は、第２収納部１２０の底となる部分であり、第１収納部１１０の底壁１１１よりも一段高い位置に設けられている。
【００４３】
上壁１２５は、第１収納部１１０の第１左壁１１３の上端よりも低く、工具載置部１２１よりも高い位置に設けられた水平方向に延びる壁であり、第１左壁１１３と第２係止部１５０に繋がっている。このような上壁１２５が設けられることで、上壁１２５と工具載置部１２１の間に、工具載置部１２１上の工具５が挿通される左右に貫通した工具挿入口１２６が形成されている。
【００４４】
また、上壁１２５は、第１収納部１１０の第１左壁１１３よりも左右方向外側へ突出して下方に延びる第２左壁１２７を有している。この第２左壁１２７は、下端が左右に移動するように撓むことできるように形成されている。
【００４５】
次に、ケース本体１００に設けられた、ケース本体１００を車両用シートＳに取り付けるための構成について説明する。
【００４６】
図５（ａ），（ｂ）に示すように、ケース本体１００は、前部に第１連結部材１３に係止される第１係止部１４０を有している。
【００４７】
第１係止部１４０は、前壁１１２と、前壁１１２の上端から前方へ延出する第１上壁部１４１と、前壁１１２の第１上壁部１４１よりも下側の部分から前方へ延出する下壁部１４２とを有している。
【００４８】
第１上壁部１４１は、前壁１１２の上端の全体にわたって設けられている。
下壁部１４２は、第１上壁部１４１よりも左右の幅が狭く、左右方向に離れて二つ設けられている。
【００４９】
そして、下壁部１４２の上面には、前後方向に延びる下側リブ１４３が複数設けられている。また、前壁１１２と第１上壁部１４１の間の隅部には、この隅部から前壁１１２と第１上壁部１４１を繋ぐように突出する上側リブ１４４が設けられている。上側リブ１４４は、図示は省略するが、左右方向に複数並んで設けられている。複数の下側リブ１４３の一部は、下壁部１４２の左右の両端部に配置されている。
【００５０】
そして、第１上壁部１４１は、下壁部１４２の上に配置される部分に、前後方向に貫通する挿通孔１４５を有している。これにより、第１上壁部１４１のうち下壁部１４２と対向する部分１４１Ａは、他部よりも撓み変形しやすくなっている。なお、挿通孔１４５の内周面には、前後方向に延びる複数の内側リブ１４５Ａが設けられている。
【００５１】
なお、本実施形態においては、第１上壁部１４１と下壁部１４２の間隔は、前後方向において略一定になっているが、第１上壁部１４１と下壁部１４２の間隔は、前方に向かうほど、すなわち、下壁部１４２の先端部に近づくほど、狭くなっていてもよい。このように構成すれば、第１係止部１４０に係合した第１連結部材１３が、第１係止部１４０から外れにくくなる。
【００５２】
図６（ａ）〜（ｃ）に示すように、ケース本体１００は、後部に、第２連結部材１４に係止される第２係止部１５０と、右側移動抑制部１７０と、左側移動抑制部１８０とを有している。
【００５３】
図６（ａ），（ｂ）に示すように、第２係止部１５０は、第２収納部１２０の後壁１２４と、後壁１２４の上端から後方に延出する第２上壁部１５２と、第２上壁部１５２から下方に延びる対向壁部１５３とを有している。
【００５４】
対向壁部１５３は、左右方向で離れた二か所に、下端から上方へ凹むように形成された切欠部１５４を有している。
【００５５】
そして、後壁１２４は、切欠部１５４に対応する位置に、後方へ突出した接触部１５５を有している。接触部１５５は、後面に、上下方向に延びる前側リブ１５６を有している。この前側リブ１５６は、図示は省略するが、左右に複数並んで設けられている。また、接触部１５５の下端は、第２収納部１２０の工具載置部１２１から離間しており、接触部１５５の下側には、開口部１２４Ａが形成されている。
【００５６】
また、第２上壁部１５２には、二つの切欠部１５４の間の部分を切り起こすようにして形成されたロック部１６０が設けられている。ロック部１６０は、対向壁部１５３の上端から前側へ延びて、先端が上下動するように撓むように設けられている。
【００５７】
図６（ａ）に示すように、右側移動抑制部１７０は、移動抑制部の一例であり、第２収納部１２０の第２右壁１２３に設けられ、第２右壁１２３よりも左右方向外側に突出している。右側移動抑制部１７０は、第２右壁１２３と一体に形成されている。そして、右側移動抑制部１７０は、左右方向外側を向く表面に、上下に延びる複数の接触リブ１７１を有している。
【００５８】
図６（ｃ）に示すように、左側移動抑制部１８０は、移動抑制部の一例であり、第２収納部１２０の第２左壁１２７に設けられ、第２左壁１２７よりも左右方向外側に突出している。左側移動抑制部１８０は、第２左壁１２７と一体に形成されている。また、左側移動抑制部１８０は、左右方向外側を向く表面に、上下に延びる複数の接触リブ１８１を有している。
【００５９】
そして、右側移動抑制部１７０と左側移動抑制部１８０は、図６（ａ），（ｃ）に示すように、ケース本体１００の上面を構成する第１左壁１１３の上端や第１右壁１１４の上端よりも低い位置に設けられている。また、右側移動抑制部１７０の接触リブ１７１の先端から左側移動抑制部１８０の接触リブ１７１の先端までの距離は、一対のレール支持部材１１の間隔よりも僅かに大きくなっている。
【００６０】
蓋２００は、図７（ａ）に示すように、平板状の蓋本体２１０と、蓋本体２１０の後端から下方に延びる第１延出壁部２１４（図７（ｂ）も参照）と、第１延出壁部２１４の下端に設けられた一対の係止片２４０と、蓋本体２１０の前端に設けられた一対の延出部２５０とを有している。また、蓋２００は、後部に、ロック解除部２３０を有している。
【００６１】
蓋本体２１０は、左右の端部がケース本体１００の第１左壁１１３と第１右壁１１４に重なるような大きさで形成されている（図８（ａ）参照）。
【００６２】
蓋本体２１０は、下面に、押さえ部２２１と、一対のガイド溝２１１を有している。
【００６３】
押さえ部２２１は、蓋２００をケース本体１００に取り付けたときに、工具載置部１２１の上に配置される部分に設けられている。押さえ部２２１は、蓋本体２１０の下面から下方に突出し、工具載置部１２１上に載置された工具５を押さえるように形成されている。この押さえ部２２１の裏側（上面側）は、凹んだ形状となっている。つまり、蓋本体２１０の上面の後部には、第１凹部２２０が設けられている（図８（ａ）参照）。
【００６４】
ガイド溝２１１は、蓋本体２１０の左右両側に設けられている。各ガイド溝２１１は、上方へ凹むように形成され、前後方向に延びている。
【００６５】
一対の係止片２４０は、ケース本体１００の第２係止部１５０の切欠部１５４に対応する位置に設けられている。図７（ｂ）に示すように、各係止片２４０は、第１延出壁部２１４の下端部から前側へ延びる第２延出壁部２４１と、第２延出壁部２４１の前端に設けられたフック部２４２とを有している。
【００６６】
各延出部２５０は、図７（ａ）に示すように、平板状に形成されている。この延出部２５０は、ケース本体１００の挿通孔１４５に対応する位置に設けられている。
【００６７】
このように形成された蓋２００は、図８（ａ），（ｂ）に示すように、ケース本体１００に取り付けられた状態では、蓋本体２１０がケース本体１００の開口１０１を覆っている。また、第１延出壁部２１４は、ケース本体１００の対向壁部１５３の外側を通って下方に延びている（図１１（ａ）参照）。そして、ガイド溝２１１がケース本体１００の第１左壁１１３の上端と第１右壁１１４の上端に係合している。また、延出部２５０は、ケース本体１００の挿通孔１４５内に配置されている。このように延出部２５０が配置されることで、蓋２００がケース本体１００から外れるのを抑えるとともに、第１上壁部１４１の下壁部１４２に対向する部分１４１Ａが大きく撓むのを抑えることができるようになっている。
【００６８】
ロック解除部２３０は、ケース本体１００に取り付けられた状態で、ロック部１６０の上に重なる位置に設けられている。ロック解除部２３０は、図８（ａ）に示すように、第１凹部２２０の後側に形成された第２凹部２００Ａに設けられている。第２凹部２００Ａは、蓋本体２１０と第１延出壁部２１４の角部に設けられており、蓋本体２１０の上面から下方に延びるロック係合壁２３３を有している。
【００６９】
ロック解除部２３０は、第１延出壁部２１４から上方に延びた後、前方（ロック係合壁２３３側）へ延びる可撓部２３１と、可撓部２３１の前端から上方に延びる操作部２３２と、可撓部２３１の前端から下方に突出する押圧部２３４（図１１（ｂ）参照）とを有している。可撓部２３１は、前端部が上下に移動するように撓むことができるように形成され、操作部２３２を前方へ倒すことで、押圧部２３４が下方に移動するようになっている。なお、押圧部２３４は、蓋２００がケース本体１００に取り付けられた状態で、ロック部１６０の前端部の上に配置されている（図１１（ｂ）参照）。
【００７０】
以上のように構成された収納ケースＢの車両用シートＳへの取り付け方について説明する。
【００７１】
収納ケースＢを取り付ける際には、まず、シートクッションＳ１を前方へスライドさせて、図２に示すように、一対のレール支持部材１１の間の空間を露出させる。このように、収納ケースＢを取り付けるスペースを露出させて収納ケースＢの取り付けを行うことができるので、収納ケースＢの取付作業がしやすい。
【００７２】
そして、図９（ａ）に示すように、ケース本体１００を一対のレール支持部材１１の間に後側上方から挿し込む。このとき、図１０に示すように、ケース本体１００の右側移動抑制部１７０の接触リブ１７１の先端から左側移動抑制部１８０の接触リブ１７１の先端までの幅が、一対のレール支持部材１１の幅よりも僅かに大きくなっているので、左側移動抑制部１８０が設けられている第２左壁１２７が撓んだ状態でケース本体１００が一対のレール支持部材１１の間に挿し込まれる。なお、レール支持部材１１には、右側移動抑制部１７０の接触リブ１７１と左側移動抑制部１８０の接触リブ１８１が接触するので、接触リブ１７１，１８１が設けられておらず、右側移動抑制部１７０の全体および左側移動抑制部１８０の全体がレール支持部材１１に接触する場合に比べて、レール支持部材１１に接触する部分の面積を小さくすることができる。これにより、ケース本体１００を一対のレール支持部材１１の間にスムーズに挿し込むことができる。
【００７３】
そして、図９（ａ）に示すように、第１係止部１４０を第１連結部材１３に係合させる。具体的には、第１係止部１４０の第１上壁部１４１と下壁部１４２の間に第１連結部材１３を挿し込み、第１連結部材１３を前壁１１２に当接させる。このとき、第１上壁部１４１のうち下壁部１４２と対向する部分１４１Ａが撓むので、第１上壁部１４１と下壁部１４２の間隔が広がり、第１連結部材１３を第１上壁部１４１と下壁部１４２の間にスムーズに挿し込むことができる。また、下壁部１４２の上面に複数の下側リブ１４３が設けられているので、下壁部１４２のうち下側リブ１４３に第１連結部材１３が接触する。そのため、第１係止部１４０の第１連結部材１３に接触する部分の面積を小さくすることができるので、第１連結部材１３をスムーズに第１係止部１４０に挿し込むことができる。
【００７４】
次に、ケース本体１００の後部を下に降ろし、図９（ｂ）に示すように、第２係止部１５０を第２連結部材１４に係合させる。具体的には、第２係止部１５０の後壁１２４と対向壁部１５３の間に第２連結部材１４を挿し込み、第２上壁部１５２に第２連結部材１４を当接させる。このとき、対向壁部１５３が撓むので、後壁１２４と対向壁部１５３の間隔が広がり、第２連結部材１４を後壁１２４と対向壁部１５３の間にスムーズに挿し込むことができる。また、第２連結部材１４は、接触部１５５に前側リブ１５６が設けられているので、後壁１２４のうち前側リブ１５６が第２連結部材１４に接触する。これにより、第２係止部１５０の第２係止部１５０に接触する部分の面積を小さくすることができるので、第２連結部材１４をスムーズに第２係止部１５０に挿し込むことができる。
【００７５】
このように第１係止部１４０と第２係止部１５０を第１連結部材１３と第２連結部材１４に係合させると、ケース本体１００が、第１連結部材１３と第２連結部材１４に支持される。
【００７６】
この状態で、第１係止部１４０の第１上壁部１４１は第１連結部材１３の上側に配置され、下壁部１４２は第１連結部材１３の下側に配置される。そして、第１上壁部１４１のうち下壁部１４２と対向する部分１４１Ａが撓んで、所定の弾性復元力で、下壁部１４２との間で第１連結部材１３を上下方向で挟んでいる。また、第２係止部１５０の後壁１２４は第２連結部材１４の前側に配置され、対向壁部１５３は第２連結部材１４の後側に配置されている。そして、対向壁部１５３が撓んで、所定の弾性復元力で、後壁１２４との間で第２連結部材１４を前後方向で挟んでいる。
【００７７】
このように第１係止部１４０が第１連結部材１３を挟む方向と、第２係止部１５０が第２連結部材１４を挟む方向とを異なる方向にすることで、ケース本体１００を車両用シートＳに取り付けやすい。また、車両が振動したときに、どの方向に振動しても、第１係止部１４０と第２係止部１５０のいずれかが第１連結部材１３または第２連結部材１４に引っかかって移動を規制するので、ケース本体１００が第１連結部材１３と第２連結部材１４から外れにくい。
【００７８】
そして、第１係止部１４０においては、下壁部１４２に設けられた複数の下側リブ１４３の一部が、下壁部１４２の左右の両端部に設けられているので、第１係止部１４０がより広い範囲で第１連結部材１３を挟むことができる。
【００７９】
また、図１０に示すように、ケース本体１００は、右側移動抑制部１７０と左側移動抑制部１８０が一対のレール支持部材１１に当接している。これにより、ケース本体１００が左右に動くのを抑えることができる。
【００８０】
なお、ケース本体１００のレール支持部材１１に対向する第２右壁１２３や第２左壁１２７から突出した右側移動抑制部１７０と左側移動抑制部１８０のみがレール支持部材１１に当接するので、ケース本体１００の側面全体がレール支持部材１１に接触する構成に比べて、ケース本体１００を一対のレール支持部材１１の間に挿し込みやすい。
【００８１】
そして、右側移動抑制部１７０と左側移動抑制部１８０は、第１収納部１１０ではなく、第１収納部１１０よりも左右方向の幅が広い第２収納部１２０に設けられているので、右側移動抑制部１７０と左側移動抑制部１８０の突出量を小さくすることができる。
【００８２】
また、第２左壁１２７が撓んだ状態になっているので、この第２左壁１２７に設けられた左側移動抑制部１８０が、レール支持部材１１に押し付けられている（弾性的に接触している）。これにより、ケース本体１００の寸法誤差を吸収して、右側移動抑制部１７０と左側移動抑制部１８０をレール支持部材１１に当接させることができる。
【００８３】
そして、右側移動抑制部１７０と左側移動抑制部１８０は、ケース本体１００の上面を構成する第１左壁１１３の上端や第１右壁１１４の上端よりも低い位置に設けられているので、右側移動抑制部と左側移動抑制部がケース本体の上部に設けられている場合に比べて、一対のレール支持部材１１の間で安定して保持される。
【００８４】
ケース本体１００を車両用シートＳに取り付けた後は、ケース本体１００に、コンプレッサ３、パンク修理材４および工具５を緩衝材に包んで収納し、図９（ｂ）に示すように、蓋２００を取り付ける。
【００８５】
蓋２００をケース本体１００に取り付けるときには、ガイド溝２１１をケース本体１００の第１左壁１１３の上端と第１右壁１１４の上端に係合させて、ケース本体１００に対して前方へスライド移動させ、開口１０１を閉じる。
【００８６】
このとき、図１１（ａ）に示すように、蓋２００の係止片２４０のフック部２４２を第２係止部１５０の開口部１２４Ａに挿入し、開口部１２４Ａの縁に引っ掛ける。これにより、第２連結部材１４の下側に第２延出壁部２４１が配置されるので、車両の振動によりケース本体１００が上方に動いても、第２連結部材１４に第２延出壁部２４１が引っかかるので、第２係止部１５０から第２連結部材１４が外れるのを抑えることができる。
【００８７】
そして、蓋２００がケース本体１００に取り付けられると、図１１（ｂ）に示すように、ロック部１６０の先端が、蓋２００のロック係合壁２３３と対向する。これにより、蓋２００を後方へスライドさせようとしたときに、ロック係合壁２３３にロック部１６０の先端が蓋２００の取り外し方向下流側である後側から当接して引っかかるロック状態となるので、蓋２００がケース本体１００から不必要に外れるのを抑制することができる。
【００８８】
蓋２００をケース本体１００から取り外すときには、図１１（ｃ）に示すように、第１凹部２２０の縁とロック解除部２３０の操作部２３２に指をかけて操作部２３２を前方に倒す。これにより、可撓部２３１が撓んで、押圧部２３４がロック部１６０を下に押すので、ロック部１６０の先端がロック係合壁２３３から下方にずれて、非ロック状態になる。この状態で蓋２００を後側へ引っ張ることで、蓋２００がケース本体１００に対してスライド移動して、ケース本体１００から外れる。
【００８９】
以上、本発明の実施形態について説明したが、本発明は前記実施形態に限定されるものではない。具体的な構成については、本発明の趣旨を逸脱しない範囲で適宜変更が可能である。
【００９０】
前記実施形態では、移動抑制部の一例である右側移動抑制部１７０と左側移動抑制部１８０がケース本体１００に設けられていたが、移動抑制部の構成はこれに限定されるものではない。例えば、移動抑制部は、蓋２００に設けられていてもよい。
【００９１】
前記実施形態では、移動抑制部の一例である右側移動抑制部１７０と左側移動抑制部１８０がケース本体１００と一体に形成されていたが、移動抑制部の構成はこれに限定されるものではない。例えば、移動抑制部は、ケース本体１００とは別個に設けられた部品をケース本体１００に固定することで、ケース本体１００の第２右壁１２３と第２左壁１２７に設けられていてもよい。
【符号の説明】
【００９２】
１１    レール支持部材
１１０  第１収納部
１２０  第２収納部
１２３  第２右壁
１２７  第２左壁
１７０  右側移動抑制部
１７１  接触リブ
１８０  左側移動抑制部
１８１  接触リブ
Ｂ      収納ケース
Ｓ      車両用シート
Ｓ１    シートクッション
【図１】
0006532197.tif 000002
【図２】
0006532197.tif 000003
【図３】
0006532197.tif 000004
【図４】
0006532197.tif 000005
【図５】
0006532197.tif 000006
【図６】
0006532197.tif 000007
【図７】
0006532197.tif 000008
【図８】
0006532197.tif 000009
【図９】
0006532197.tif 000010
【図１０】
0006532197.tif 000011
【図１１】
0006532197.tif 000012